(57)【要約】【課題】本発明は、パイロット信号によって複数レベルの情報を転送できる情報配信システム、その情報配信方法、当該情報配信システムに用いられる送信装置及び受信装置の提供を目的とする。【解決手段】本発明の情報配信システムは、パイロット信号を用いて送信装置１から受信装置１４へ、入力端子１７から入力された多値情報を送信する情報配信システムであって、パイロット信号出力部８が予め定められた同期した複数の異なる周波数のパイロット信号を発生させ、前記多値情報の情報量に応じた周波数差又はサイクル数の差となる２つのパイロット信号を選択し、信号送信部４から受信装置１４へ送信することを特徴とする。受信装置１４では、２つのパイロット信号を周波数ごとに抽出する手段１１と、抽出した２つのパイロット信号から周波数差又はサイクル数の差に応じた多値情報を出力端子１８に出力する情報出力部１３と、を備える。【選択図】図１
2008160207.tif 000002
【特許請求の範囲】
【請求項１】
パイロット信号を用いて送信装置から受信装置へ多値情報を送信する情報配信システムであって、
前記送信装置は、
予め定められた同期した複数の異なる周波数のパイロット信号を発生させ、前記多値情報の情報量に応じた周波数差となる２つのパイロット信号を選択して出力するパイロット信号出力部と、
前記パイロット信号出力部の出力したパイロット信号を前記受信装置へ送信する信号送信部と、を備え、
前記受信装置は、
前記信号送信部の送信したパイロット信号を受信する信号受信部と、
前記信号受信部の受信するパイロット信号の周波数を検出する周波数検出部と、
前記周波数検出部の検出した周波数の差分を算出し、当該差分に応じた情報量の前記多値情報を出力する情報出力部と、を備えることを特徴とする情報配信システム。
【請求項２】
パイロット信号を用いて送信装置から受信装置へ多値情報を送信する情報配信システムであって、
前記送信装置は、
一定周期で位相が一致する予め定められた２つの異なる固定周波数のパイロット信号を発生させ、前記一定周期内における前記パイロット信号同士のサイクル数の差を前記多値情報の情報量として出力するパイロット信号出力部と、
前記パイロット信号出力部の出力したパイロット信号を前記受信装置へ送信する信号送信部と、を備え、
前記受信装置は、
前記信号送信部の送信したパイロット信号を受信する信号受信部と、
前記信号受信部の受信するパイロット信号の位相を前記固定周波数ごとに検出する位相検出部と、
前記位相検出部の検出した位相の前記一定周期内でのサイクル数を前記固定周波数ごとに計数し、前記固定周波数同士のサイクル数の差に応じた情報量の前記多値情報を出力する情報出力部と、を備えることを特徴とする情報配信システム。
【請求項３】
前記情報出力部は、前記位相検出部の検出した前記固定周波数ごとのパイロット信号の位相同士が一致するタイミングから次に一致するタイミングまでを前記一定周期とすることを特徴とする請求項２に記載の情報配信システム。
【請求項４】
パイロット信号を用いて多値情報を送信する情報配信方法であって、
予め定められた同期した複数の異なる周波数のパイロット信号を発生させ、前記多値情報の情報量に応じた周波数差となる２つのパイロット信号を選択して出力するパイロット信号出力手順と、
前記パイロット信号出力手順で出力したパイロット信号を送信する信号送信手順と、
前記信号送信手順で送信したパイロット信号を受信する信号受信手順と、
前記信号受信手順で受信したパイロット信号の周波数を検出する周波数検出手順と、
前記周波数検出手順で検出した周波数の差分を算出し、当該差分に応じた情報量の前記多値情報を出力する情報出力手順と、を有することを特徴とする情報配信方法。
【請求項５】
パイロット信号を用いて多値情報を送信する情報配信方法であって、
一定周期で位相が一致する予め定められた２つの異なる固定周波数のパイロット信号を発生させ、前記一定周期内における前記パイロット信号同士のサイクル数の差を前記多値情報の情報量として出力するパイロット信号出力手順と、
前記パイロット信号出力手順で出力したパイロット信号を前記受信装置へ送信する信号送信手順と、
前記信号送信手順で送信したパイロット信号を受信する信号受信手順と、
前記信号受信手順で受信したパイロット信号の位相を前記固定周波数ごとに検出する位相検出手順と、
前記位相検出手順で検出した位相の前記一定周期内でのサイクル数を計数し、当該サイクル数の前記固定周波数同士の差に応じた情報量の前記多値情報を出力する情報出力手順と、を有することを特徴とする情報配信方法。
【請求項６】
前記情報出力手順において、前記位相検出手順で検出した前記固定周波数ごとのパイロット信号の位相同士が一致するタイミングから次に一致するタイミングまでを前記一定周期とすることを特徴とする請求項５に記載の情報配信方法。
【請求項７】
パイロット信号を用いて送信装置から受信装置へ多値情報を送信する情報配信システムに用いられる送信装置であって、
予め定められた同期した複数の異なる周波数のパイロット信号を発生させ、前記多値情報の情報量に応じた周波数差となる２つのパイロット信号を選択して出力するパイロット信号出力部と、
前記パイロット信号出力部の出力したパイロット信号を前記受信装置へ送信する信号送信部と、を備えることを特徴とする送信装置。
【請求項８】
パイロット信号を用いて送信装置から受信装置へ多値情報を送信する情報配信システムに用いられる送信装置であって、
一定周期で位相が一致する予め定められた２つの異なる固定周波数のパイロット信号を発生させ、前記一定周期内における前記パイロット信号同士のサイクル数の差を前記多値情報の情報量として出力するパイロット信号出力部と、
前記パイロット信号出力部の出力したパイロット信号を前記受信装置へ送信する信号送信部と、を備えることを特徴とする送信装置。
【請求項９】
パイロット信号を用いて送信装置から受信装置へ多値情報を送信する情報配信システムに用いられ、予め定められた同期した複数の異なる周波数のパイロット信号を発生させ、前記多値情報の情報量に応じた周波数差となる２つのパイロット信号を選択して出力された２つのパイロット信号を受信する受信装置であって、
前記送信装置の送信したパイロット信号を受信する信号受信部と、
前記信号受信部の受信するパイロット信号の周波数を検出する周波数検出部と、
前記周波数検出部の検出した周波数の差分を算出し、当該差分に応じた情報量の前記多値情報を出力する情報出力部と、を備えることを特徴とする受信装置。
【請求項１０】
パイロット信号を用いて送信装置から受信装置へ多値情報を送信する情報配信システムに用いられ、一定周期で位相が一致する予め定められた２つの異なる固定周波数のパイロット信号を発生させ、前記一定周期内における前記パイロット信号同士のサイクル数の差を前記多値情報の情報量として出力されたパイロット信号を受信する受信装置であって、
前記信号送信部の送信したパイロット信号を受信する信号受信部と、
前記信号受信部の受信するパイロット信号の位相を前記固定周波数ごとに検出する位相検出部と、
前記位相検出部の検出した位相の前記一定周期内でのサイクル数を前記固定周波数ごとに計数し、前記固定周波数同士のサイクル数の差に応じた情報量の前記多値情報を出力する情報出力部と、を備えることを特徴とする受信装置。
【発明の詳細な説明】
【技術分野】
【０００１】
本発明は、パイロット信号を重畳して送信する情報配信システムにおいて、パイロット信号を用いて多値情報を送信する情報配信システム、その情報配信方法、当該情報配信システムに用いられる送信装置及び受信装置に関する。
【背景技術】
【０００２】
従来のＶＨＦ／ＵＨＦ帯のアナログテレビに放送に加えて、ＢＳ放送、ＣＳ放送、地上デジタル放送など、各種テレビ放送サービスが個別住宅あるいは集合住宅で利用可能となってきている。これらは、直接波として放送信号を個別にアンテナで受信して視聴する場合と、無線周波数のまま光ファイバなどのケーブルにより配信し、家庭内テレビチューナで受信して視聴するＣＡＴＶ形式がある。
【０００３】
後者の光ファイバを利用したＣＡＴＶ形式の場合は、送信装置から加入者装置まで放送波を無線周波数のまま、あるいは無線周波数が高周波数の場合は中間周波数に変換して、光変調して伝送し、加入者宅でＯＥ変換された無線周波数の配信信号を、対応する放送波のチューナ端子にそのまま入力することで、テレビの視聴が可能となる。
【０００４】
配信信号を放送波で送信するための放送波信号では、パイロット信号が挿入され、同期信号として、あるいは、多重化された信号の受信制御として使用されている。パイロット信号は、例えば地上デジタル信号、ＢＳ／ＣＳ信号に対して個別に挿入されている。
【０００５】
放送波信号を光伝送するシステムでは、送信装置側での無線放送信号の受信品質及び装置障害などの監視や、中継装置での無線放送信号の受信品質及び装置障害などの監視を行い、状況に応じて警報信号をシステム内の装置に一斉転送することが必要となる。
【０００６】
例えば、警報信号を転送する従来技術には、１対のファイバケーブルで構成される双方向通信において、ファイバケーブルに光信号の形式でデータに一定周期のパイロット信号を重畳して送信し、ファイバ断によって無信号状態が続くと、送信を一定期間禁止することで、片側ファイバ障害の場合でも両端の光装置で知ることができる方法が記述されている（例えば、特許文献１参照。）。しかしながら、転送できるのはファイバ断があるかないかなどの１つのレベルだけであり、伝送品質の度合いを示すための複数のレベルを通知したり、伝送路障害及び装置障害を通知したりするなどの警報信号に適した情報量の多値情報は転送できなかった。
【０００７】
又、別の従来技術では、警報信号を主信号光の波長とは異なる波長の光搬送波を監視制御情報の転送用に用いている（例えば、特許文献２参照。）。しかしながら、伝送品質の度合いを示すための複数のレベルを通知したり、伝送路障害及び装置障害などの複数の情報を通知したりするためには警報信号専用の光搬送波を用意しなければならないほどの情報量を必要としないのにもかかわらず、警報信号専用の光搬送波を用意しなければならなかった。
【特許文献１】特開平５−２７６１２３号公報
【特許文献２】特開２００３−２４９８９９号公報
【発明の開示】
【発明が解決しようとする課題】
【０００８】
上記のように、従来は、パイロット信号を利用した簡便な転送では多値情報が転送できなかった。本発明では、このような問題を解決するため、パイロット信号を利用した簡便な転送方法によって多値情報を転送できる情報配信システム、その情報配信方法、当該情報配信システムに用いられる送信装置及び受信装置の提供を目的とする。
【課題を解決するための手段】
【０００９】
本発明は、上記目的を達成するものであり、パイロット信号を用いて送信装置から受信装置へ多値情報を送信する情報配信システムであって、２つの異なる周波数のパイロット信号の周波数差又はサイクル数の差を多値情報の情報量として転送することを特徴とする。
【００１０】
本発明に係る情報配信システムは、パイロット信号を用いて送信装置から受信装置へ多値情報を送信する情報配信システムであって、前記送信装置は、予め定められた同期した複数の異なる周波数のパイロット信号を発生させ、前記多値情報の情報量に応じた周波数差となる２つのパイロット信号を選択して出力するパイロット信号出力部と、前記パイロット信号出力部の出力したパイロット信号を前記受信装置へ送信する信号送信部と、を備え、前記受信装置は、前記信号送信部の送信したパイロット信号を受信する信号受信部と、前記信号受信部の受信するパイロット信号の周波数を検出する周波数検出部と、前記周波数検出部の検出した周波数の差分を算出し、当該差分に応じた情報量の前記多値情報を出力する情報出力部と、を備えることを特徴とする。
【００１１】
２つの異なる周波数のパイロット信号の周波数差を多値情報の情報量として送信するので、パイロット信号によっても複数レベルの情報を転送することができる。ここで、本発明において「同期した」とは、広義の同期をいい、２つのパイロット信号の周波数同士が整数比の関係になっていることをいう。パイロット信号の周波数差のバリエーションを増減させることで、転送する多値情報の情報量を増減させることができる。
【００１２】
本発明に係る情報配信システムは、パイロット信号を用いて送信装置から受信装置へ多値情報を送信する情報配信システムであって、前記送信装置は、一定周期で位相が一致する予め定められた２つの異なる固定周波数のパイロット信号を発生させ、前記一定周期内における前記パイロット信号同士のサイクル数の差を前記多値情報の情報量として出力するパイロット信号出力部と、前記パイロット信号出力部の出力したパイロット信号を前記受信装置へ送信する信号送信部と、を備え、前記受信装置は、前記信号送信部の送信したパイロット信号を受信する信号受信部と、前記信号受信部の受信するパイロット信号の位相を前記固定周波数ごとに検出する位相検出部と、前記位相検出部の検出した位相の前記一定周期内でのサイクル数を前記固定周波数ごとに計数し、前記固定周波数同士のサイクル数の差に応じた情報量の前記多値情報を出力する情報出力部と、を備えることを特徴とする。
【００１３】
２つの異なる周波数のパイロット信号のサイクル数の差を多値情報の情報量として送信するので、パイロット信号によっても複数レベルの情報を転送することができる。パイロット信号のサイクル数の差のバリエーションを増減させることで、転送する多値情報の情報量を増減させることができる。パイロット信号の周波数が２種類に固定されているので、パイロット信号の発振源の構成を増やさずに転送する情報量を増やすことができる。
【００１４】
本発明に係る情報配信システムでは、前記情報出力部は、前記位相検出部の検出した前記固定周波数ごとのパイロット信号の位相同士が一致するタイミングから次に一致するタイミングまでを前記一定周期とすることが好ましい。情報出力部がサイクル数を計数する間隔を、２つの固定周波数のパイロット信号の位相が一致するタイミング同士の間隔とすることで、それぞれのパイロット信号のサイクル数を正確に計数することができる。
【００１５】
本発明に係る情報配信方法は、パイロット信号を用いて多値情報を送信する情報配信方法であって、予め定められた同期した複数の異なる周波数のパイロット信号を発生させ、前記多値情報の情報量に応じた周波数差となる２つのパイロット信号を選択して出力するパイロット信号出力手順と、前記パイロット信号出力手順で出力したパイロット信号を送信する信号送信手順と、前記信号送信手順で送信したパイロット信号を受信する信号受信手順と、前記信号受信手順で受信したパイロット信号の周波数を検出する周波数検出手順と、前記周波数検出手順で検出した周波数の差分を算出し、当該差分に応じた情報量の前記多値情報を出力する情報出力手順と、を有することを特徴とする。
【００１６】
２つの異なる周波数のパイロット信号の周波数差を多値情報の情報量として送信するので、パイロット信号によっても複数レベルの情報を転送することができる。ここで、本発明において「同期した」とは、広義の同期をいい、２つのパイロット信号の周波数同士が整数比の関係になっていることをいう。パイロット信号の周波数差のバリエーションを増減させることで、転送する多値情報の情報量を増減させることができる。
【００１７】
本発明に係る情報配信方法は、パイロット信号を用いて多値情報を送信する情報配信方法であって、一定周期で位相が一致する予め定められた２つの異なる固定周波数のパイロット信号を発生させ、前記一定周期内における前記パイロット信号同士のサイクル数の差を前記多値情報の情報量として出力するパイロット信号出力手順と、前記パイロット信号出力手順で出力したパイロット信号を前記受信装置へ送信する信号送信手順と、前記信号送信手順で送信したパイロット信号を受信する信号受信手順と、前記信号受信手順で受信したパイロット信号の位相を前記固定周波数ごとに検出する位相検出手順と、前記位相検出手順で検出した位相の前記一定周期内でのサイクル数を計数し、当該サイクル数の前記固定周波数同士の差に応じた情報量の前記多値情報を出力する情報出力手順と、を有することを特徴とする。
【００１８】
２つの異なる周波数のパイロット信号のサイクル数の差を多値情報の情報量として送信するので、パイロット信号によっても複数レベルの情報を転送することができる。パイロット信号のサイクル数の差のバリエーションを増減させることで、転送する多値情報の情報量を増減させることができる。パイロット信号の周波数が２種類に固定されているので、パイロット信号の発振源の構成を増やさずに転送する情報量を増やすことができる。
【００１９】
本発明に係る情報配信システムでは、前記情報出力手順において、前記位相検出手順で検出した前記固定周波数ごとのパイロット信号の位相同士が一致するタイミングから次に一致するタイミングまでを前記一定周期とすることが好ましい。情報出力部がサイクル数を計数する間隔を、２つの固定周波数のパイロット信号の位相が一致するタイミング同士の間隔とすることで、それぞれのパイロット信号のサイクル数を正確に計数することができる。
【００２０】
本発明に係る送信装置は、パイロット信号を用いて送信装置から受信装置へ多値情報を送信する情報配信システムに用いられる送信装置であって、予め定められた同期した複数の異なる周波数のパイロット信号を発生させ、前記多値情報の情報量に応じた周波数差となる２つのパイロット信号を選択して出力するパイロット信号出力部と、前記パイロット信号出力部の出力したパイロット信号を前記受信装置へ送信する信号送信部と、を備えることを特徴とする。
【００２１】
２つの異なる周波数のパイロット信号の周波数差を多値情報の情報量として送信するので、パイロット信号によっても複数レベルの情報を転送することができる。ここで、本発明において「同期した」とは、広義の同期をいい、２つのパイロット信号の周波数同士が整数比の関係になっていることをいう。パイロット信号の周波数差のバリエーションを増減させることで、転送する多値情報の情報量を増減させることができる。
【００２２】
本発明に係る送信装置は、パイロット信号を用いて送信装置から受信装置へ多値情報を送信する情報配信システムに用いられる送信装置であって、一定周期で位相が一致する予め定められた２つの異なる固定周波数のパイロット信号を発生させ、前記一定周期内における前記パイロット信号同士のサイクル数の差を前記多値情報の情報量として出力するパイロット信号出力部と、前記パイロット信号出力部の出力したパイロット信号を前記受信装置へ送信する信号送信部と、を備えることを特徴とする。
【００２３】
２つの異なる周波数のパイロット信号のサイクル数の差を多値情報の情報量として送信するので、パイロット信号によっても複数レベルの情報を転送することができる。パイロット信号のサイクル数の差のバリエーションを増減させることで、転送する多値情報の情報量を増減させることができる。パイロット信号の周波数が２種類に固定されているので、パイロット信号の発振源の構成を増やさずに転送する情報量を増やすことができる。
【００２４】
本発明に係る受信装置は、パイロット信号を用いて送信装置から受信装置へ多値情報を送信する情報配信システムに用いられ、予め定められた同期した複数の異なる周波数のパイロット信号を発生させ、前記多値情報の情報量に応じた周波数差となる２つのパイロット信号を選択して出力された２つのパイロット信号を受信する受信装置であって、前記送信装置の送信したパイロット信号を受信する信号受信部と、前記信号受信部の受信するパイロット信号の周波数を検出する周波数検出部と、前記周波数検出部の検出した周波数の差分を算出し、当該差分に応じた情報量の前記多値情報を出力する情報出力部と、を備えることを特徴とする。
【００２５】
２つの異なる周波数のパイロット信号の周波数差を多値情報の情報量として受信するので、パイロット信号によっても複数レベルの情報を転送することができる。ここで、本発明において「同期した」とは、広義の同期をいい、２つのパイロット信号の周波数同士が整数比の関係になっていることをいう。パイロット信号の周波数差のバリエーションを増減させることで、転送する多値情報の情報量を増減させることができる。
【００２６】
本発明に係る受信装置は、パイロット信号を用いて送信装置から受信装置へ多値情報を送信する情報配信システムに用いられ、一定周期で位相が一致する予め定められた２つの異なる固定周波数のパイロット信号を発生させ、前記一定周期内における前記パイロット信号同士のサイクル数の差を前記多値情報の情報量として出力されたパイロット信号を受信する受信装置であって、前記信号送信部の送信したパイロット信号を受信する信号受信部と、前記信号受信部の受信するパイロット信号の位相を前記固定周波数ごとに検出する位相検出部と、前記位相検出部の検出した位相の前記一定周期内でのサイクル数を前記固定周波数ごとに計数し、前記固定周波数同士のサイクル数の差に応じた情報量の前記多値情報を出力する情報出力部と、を備えることを特徴とする。
【００２７】
２つの異なる周波数のパイロット信号のサイクル数の差を多値情報の情報量として受信するので、パイロット信号によっても複数レベルの情報を転送することができる。パイロット信号のサイクル数の差のバリエーションを増減させることで、転送する多値情報の情報量を増減させることができる。パイロット信号の周波数が２種類に固定されているので、パイロット信号の発振源の構成を増やさずに転送する情報量を増やすことができる。
【発明の効果】
【００２８】
本発明によれば、予め定められた複数の異なる周波数のパイロット信号によって生じる周波数差又はサイクル数の差を多値情報の情報量として送信するので、パイロット信号によって多値情報を転送できる情報配信システム、当該情報配信システムの実行する情報配信方法、当該情報配信システムに用いられる送信装置及び受信装置を提供することができる。
【発明を実施するための最良の形態】
【００２９】
添付の図面を参照して本発明の実施の形態を説明する。以下に説明する実施の形態は本発明の構成の例であり、本発明は、以下の実施の形態に制限されるものではない。
（実施形態１）
図１は、実施形態１に係る情報配信システムの構成図である。図１に示す情報配信システムは、本実施形態に係る情報配信方法を行うものである。又、情報配信システムは、パイロット信号を用いて送信装置１から受信装置１４へ多値情報を送信する。本実施形態では、送信装置１と受信装置１４との間が光伝送路９で接続されている例を示したが、光伝送路９には、電波又は光による無線送信装置や増幅器などの入力端子１５ａ、１５ｂに入力された配信信号及びパイロット信号を送信するための装置が設けられていてもよい。
【００３０】
送信装置１は、入力端子１５ａ、１５ｂと、多値情報の入力端子１７と、パイロット信号出力手順を行うパイロット信号出力部８と、合成部２、３、５と、信号送信手順を行う信号送信部４と、を備える。入力端子１５ａ、１５ｂは、送信装置１から受信装置１４へ送信する配信信号が入力される。配信信号は、送信装置１が受信装置１４へ本来送信するべき信号である。本実施形態では配信信号の一例として、低周波域映像信号と高周波域映像信号を例示した。例えば、入力端子１５ａには、低周波域映像信号が入力される。入力端子１５ｂには、高周波域映像信号が入力される。入力端子１７には多値情報が入力される。多値情報は、例えば、「０」、「１」、「２」などの情報量に応じた警報の内容を示す警報レベルである。警報の内容は、例えば、ファイバ断があるかないか、伝送路障害の度合い、装置障害の度合い又は伝送品質の度合い、或いは、これらの組み合わせである。例えば、警報レベルは、情報量が「０」であれば警告のない正常な状態であることを示し、情報量が「１」であれば映像信号入力障害があったことを示し、情報量が「２」であれば送信装置障害があったことを示し、情報量が「３」であれば伝送路障害があったことを示す。
【００３１】
パイロット信号出力部８は、入力端子１７から多値情報が入力され、多値情報の情報量に応じた２つのパイロット信号を出力する。又、入力端子１７にファイバ断があるかないかなどの情報が入力される場合には、パイロット信号出力部８は、入力された情報と多値情報の情報量とを対応させる表を参照して多値情報に変換してもよい。合成部２は、入力端子１５ａから入力された低周波域映像信号と、パイロット信号出力部８から入力された低周波数パイロット信号とを合成する。合成部５は、入力端子１５ｂから入力された高周波域映像信号と、パイロット信号出力部８から入力された高周波数パイロット信号とを合成する。合成部３は、合成部２及び合成部５の出力を合成して信号送信部４へ出力する。信号送信部４は、パイロット信号出力部８の出力したパイロット信号を受信装置１４へ送信する。本実施形態では、一例として、信号送信部４が合成部３から入力された合成信号を光信号に変換して光伝送路９へ送出する例を示した。
【００３２】
ここで、パイロット信号出力部８の出力するパイロット信号は、映像信号入力障害、送信装置障害若しくは伝送路障害の監視又は切り分けに使用される。障害切り分け等を容易にするため、高周波数信号は高周波数映像信号と、低周波数信号は低周波映像信号と、それぞれ対にして使用する。そのため、通常は、図１に示した構成によって、各映像信号に各パイロット信号を合成することが好ましい。しかしながら、各映像信号と各パイロット信号とは単なる加算を行えばよいので、必ずしも図１の構成である必要はなく、例えば、図１に示した３つの合成器の代わりに、１つのみ、または２つのみの合成器を用いた構成としても構わない。
【００３３】
パイロット信号出力部８は、予め定められた同期した複数の異なる周波数のパイロット信号を発生させ、多値情報の情報量に応じた周波数差となる２つのパイロット信号を選択して出力する。ここで、本実施形態における同期は、広義の同期をいい、２つのパイロット信号の周波数同士が整数比の関係になっていることをいう。２つのパイロット信号が同期しているので、受信装置１４はパイロット信号同士の周波数差を算出し、周波数差に応じた多値情報を復調することができる。パイロット信号出力部８の発生させる周波数差のバリエーションは、多値情報の情報量の最大値以上である。例えば、多値情報の情報量が０から３の場合、周波数差のバリエーションの数は４通り以上となる。このため、パイロット信号出力部８は、多値情報の情報量の最大値の数以上のパイロット信号の発振減を備えることが好ましい。パイロット信号発生部の発生させるパイロット信号の周波数差のバリエーションを増減すれば、パイロット信号の周波数差のバリエーションに応じて情報量を増減することができる。
【００３４】
受信装置１４は、信号受信手順を行う信号受信部１０と、周波数検出手順を行う周波数検出部１１と、情報出力手順を行う情報出力部１３と、送信装置１の入力端子１５ａ、１５ｂから入力された情報を出力する出力端子１６と、多値情報の出力端子１８と、を備える。受信装置１４では、信号受信部１０が送信装置１から送信された合成信号を受信し、低周波域映像信号及び高周波域映像信号を出力端子１６に出力し、多値情報を出力端子１８から出力する。
【００３５】
信号受信部１０は、信号送信部４の送信したパイロット信号を受信する。例えば、信号受信部１０は、光伝送路９から入力された光信号を光電変換し、合成信号に含まれている低周波域映像信号及び高周波域映像信号と共に低周波数パイロット信号及び高周波数パイロット信号を受信する。周波数検出部１１は、信号受信部１０の受信するパイロット信号の周波数を検出する。例えば、信号受信部１０の光電変換した合成信号を低周波数信号検出部１１ａに入力して低周波数パイロット信号を抽出して低周波数パイロット信号の周波数を検出し、信号受信部１０の光電変換した合成信号を高周波数信号検出部１１ｂに入力して高周波数パイロット信号を抽出して高周波数パイロット信号の周波数を検出する。低周波数信号検出部１１ａは、例えば、パイロット信号出力部８が発生させる周波数差の低周波数側のそれぞれの周波数を透過するバンドパスフィルタを備え、バンドパスフィルタの透過の有無によって周波数を検出する。高周波数信号検出部１１ｂは、例えば、パイロット信号出力部８が発生させる周波数差の高周波数側のそれぞれの周波数を透過するバンドパスフィルタを備え、バンドパスフィルタの透過の有無によって周波数を検出する。
【００３６】
情報出力部１３は、周波数検出部１１の検出した周波数の差分を算出し、当該差分に応じた情報量の多値情報を出力端子１８へ出力する。周波数の差分の算出は、例えば、低周波数信号検出部１１ａの検出した低周波数パイロット信号の周波数と、高周波数信号検出部１１ｂの検出した高周波数パイロット信号の周波数と、の差分を算出する。そして、情報出力部１３は、差分が情報量のどの値に該当するのかを判定する。例えば、周波数差がΔｆ１であれば情報量「１」と判定し、周波数差がΔｆ２であれば情報量「２」と判定しする。ここで、情報出力部１３は、情報量をそのまま出力端子１８に出力してもよいが、多値情報の意味する警報レベルの内容を出力することが好ましい。例えば、情報出力部１３は、情報量が１であれば映像信号入力障害の警報を出力し、情報量が２であれば送信装置障害の警報を出力し、情報量が３であれば伝送路障害の警報を出力する。このように、パイロット信号の周波数差を多値情報の情報量として利用するので、パイロット信号によって複数レベルの情報を転送することができる。
【００３７】
図２は、信号受信部の受信する合成信号の一例を示す周波数スペクトラムであり、（ａ）は多値情報の情報量が「０」、（ｂ）は多値情報の情報量が「１」、（ｃ）は多値情報の情報量が「２」の場合を示す。例えば、図２（ａ）は情報量が「０」となる場合で、警報のない場合を示す。低周波数映像信号６０及び高周波数映像信号６１に、低周波数パイロット信号６２及び高周波数パイロット信号６３が合成されている。このときの低周波数パイロット信号６２と高周波数パイロット信号６３の周波数差はΔｆである。周波数差がΔｆの時は、情報出力部１３は、例えば多値情報を出力しない。
【００３８】
図２（ｂ）は情報量が「１」となる警報レベルが１の場合を示す。低周波数映像信号６０及び高周波数映像信号６１に、低周波数パイロット信号６２及び高周波数パイロット信号６４が合成されている。警報レベル１が発生した状態では、図２（ａ）に示す高周波数パイロット信号６３からプラス側の高周波数パイロット信号６４へ変化されており、低周波数パイロット信号６２と高周波数パイロット信号６４の周波数差がΔｆ１に変化されている。周波数差がΔｆ１の時は、情報出力部１３は、例えば警報レベル「１」を出力する。又は、映像信号入力障害があったことを示す警報を出力する。
【００３９】
図２（ｃ）は情報量が「２」となる警報レベルが２の場合を示す。低周波数映像信号６０及び高周波数映像信号６１に、低周波数パイロット信号６２及び高周波数パイロット信号６５が合成されている。警報レベル２が発生した状態では、図２（ａ）に示す高周波数パイロット信号６３からマイナス側の高周波数パイロット信号６５へ変化されており、低周波数パイロット信号６２と高周波数パイロット信号６５の周波数差がΔｆ２に変化されている。周波数差がΔｆ２の時は、情報出力部１３は、例えば警報レベル「２」を出力する。又は、送信装置障害があったことを示す警報を出力する。上記のように、送信装置が多値情報に応じた周波数差のパイロット信号を送信するので、周波数差に応じた多値情報又は警報レベル又は警報レベルに応じた警報を出力することができる。また、周波数の偏移量を３つ以上設けることで、３つ以上の警報レベルを送信装置から受信装置に転送することができる。
【００４０】
図１に示す情報配信システムでは、パイロット信号出力部８の出力するパイロット信号の振幅は、パイロット信号の本来の目的である障害監視、切り分けに利用される。又、パイロット信号出力部８の出力するパイロット信号の周波数は、パイロット信号自体の変動や変調、また復調時の局部発振器の周波数変動などによって変動する。これに対し、パイロット信号出力部８の出力するパイロット信号を同じ発振源から分周した２つのパイロット信号とすれば、パイロット信号自体の変調や、復調時の局部発振器の周波数変動があっても、その周波数差を一定に保つことができる。このため、パイロット信号出力部８は、同じ発信源から分周した２つのパイロット信号を出力することが好ましい。同じ発振器から分周した２つのパイロット信号の差周波数を情報伝達に有効に利用することができる。例えば、互いに同期がとれた３つ以上の異なる周波数のパイロット信号を生成する信号生成する信号発生部７と、多値情報の情報量に対応した周波数差を有する低周波数と高周波数の２つのパイロット信号を選択する選択部６と、を備えることが好ましい。
【００４１】
図３は、パイロット信号出力部の第１形態を示すピックアップ図である。パイロット信号出力部８は、予め定められた同期したｎ個の異なる周波数差のパイロット信号の対を発生させるｎ個の信号発生部２０、２１、２２と、ｎ個の信号発生部２０、２１、２２の発生させたｎ個の異なる周波数差のパイロット信号の対から、多値情報の情報量に応じた周波数差となる２つのパイロット信号の対を選択して出力する選択部２３と、を備える。選択部２３は、低周波数パイロット信号を合成部２に出力し、高周波数パイロット信号を合成部５に出力する。図３では簡単のため、ｎ個の信号発生部２０、２１、２２として、１番目の信号発生部２０と、２番目の信号発生部２１と、ｎ番目の信号発生部２２を除いて省略した。
【００４２】
信号発生部２０、２１、２２は、それぞれ、同期がとれた低周波数パイロット信号と高周波数パイロット信号とを発生させる。信号発生部２０は、周波数ｆ１１の低周波数パイロット信号と周波数ｆ１２の高周波数パイロット信号を発生させる。信号発生部２２が周波数ｆｎ１の低周波数パイロット信号と周波数ｆｎ２の高周波数パイロット信号を発生させる。このように、ｉ番目（ｉ＝１〜ｎ）の信号発生部は、周波数ｆｉ１の低周波数パイロット信号と周波数ｆｉ２の高周波数パイロット信号を発生させる。この場合、各信号発生部２０、２１、２２の周波数は、ｉ≠ｊとして数１を満足する。
【数１】
2008160207.tif 000003
【００４３】
選択部２３は、例えば、警報レベル「ｍ」の多値情報が入力端子１７から入力されると、信号発生部２０、２１、２２から入力された周波数ｆｉ１の低周波数パイロット信号と周波数ｆｉ２の高周波数パイロット信号とのｎ個の対のなかから、ｍ番目の周波数（ｆｍ１、ｆｍ２）を選択し、周波数ｆｍ１の低周波数パイロット信号と周波数ｆｍ２の高周波数パイロット信号を出力する。
【００４４】
ここで、低周波数パイロット信号及び高周波数パイロット信号は、周波数偏移に制限があれば、その範囲内の周波数を発生させる。例えば、低周波数パイロット信号の周波数が１００ＭＨｚで周波数偏移の制限が±２０ｐｐｍであれば、高周波数パイロット信号の周波数ｆ１２〜ｆｎ２は９９９９８ｋＨｚから１００００２ｋＨｚの範囲となる。
【００４５】
図４は、パイロット信号出力部の第２形態を示すピックアップ図である。パイロット信号出力部８は、予め定められた周波数固定の低周波数パイロット信号を発生させる低周波数パイロット信号発生部３０と、低周波数パイロット信号と同期したｎ個の異なる周波数の高周波数パイロット信号を発生させる高周波数パイロット信号発生部３１、３２、３３と、高周波数パイロット信号発生部３１、３２、３３の発生させた高周波数パイロット信号のなかから、入力端子１７から入力された多値情報に応じた周波数差となる高周波数パイロット信号を選択して出力する選択部３４と、を備える。図４では簡単のため、ｎ個の高周波数パイロット信号発生部３１、３２、３３として、１番目の高周波数パイロット信号発生部３１と、２番目の高周波数パイロット信号発生部３２と、ｎ番目の高周波数パイロット信号発生部３３を除いて省略した。低周波数パイロット信号発生部３０は低周波数パイロット信号を合成部２に出力する。選択部３４は、高周波数パイロット信号を合成部５に出力する。
【００４６】
ｎ個のそれぞれの高周波数パイロット信号発生部３１、３２、３３には、低周波数パイロット信号と同期をとるための低周波数基準信号が低周波数パイロット信号発生部３０から入力される。ｎ個の高周波数パイロット信号発生部の発生させる高周波数パイロット信号の周波数ｆ１２〜ｆｎ２は、それぞれ周波数が異なる。選択部３４は、低周波数パイロット信号発生部３０の発生させる低周波数パイロット信号の周波数ｆ１との周波数差が入力端子１７から入力された多値情報の情報量に応じた数値となるような周波数の高周波数パイロット信号を選択して出力する。例えば、選択部３４に入力された多値情報の警報レベルが「ｍ」であれば、選択部３４は、周波数ｆｍ２の高周波数パイロット信号を選択して出力する。周波数偏移に制限がある場合は、高周波数パイロット信号発生部３１、３２、３３はその範囲内の周波数を生成することが好ましい。低周波数パイロット信号の発生を固定周波数とすることで、低周波数パイロット信号発生部３０を共有化し、回路のコストを低減できる。
【００４７】
（実施形態２）
実施形態２に係る情報配信システムについて、図１を用いて説明する。本実施形態に係る情報配信システムは、情報配信方法を行うものであり、パイロット信号を用いて送信装置１から受信装置１４へ多値情報を送信する。送信装置１は、配信信号の入力端子１５ａ、１５ｂと、多値情報の入力端子１７と、パイロット信号出力手順を行うパイロット信号出力部８と、合成部２、３、５と、信号送信手順を行う信号送信部４と、を備える。受信装置１４は、信号受信手順を行う信号受信部１０と、位相検出手順を行う位相検出部１１と、情報出力手順を行う情報出力部１３と、を備える。
【００４８】
本実施形態に係る情報配信システムは、下記の点で実施形態１と異なる。まず、送信装置１において、パイロット信号出力手順を行うパイロット信号出力部８の機能が異なる。又、受信装置１４において、周波数検出手順を行う周波数検出部１１が、位相検出手順を行う位相検出部１１である点で異なる。又、情報出力手順を行う情報出力部１３の機能が異なる。以下、異なる点について説明する。
【００４９】
パイロット信号出力部８は、一定周期で位相が一致する予め定められた２つの異なる固定周波数のパイロット信号を発生させ、一定周期内におけるパイロット信号同士のサイクル数の差を多値情報の情報量として出力する。パイロット信号出力部８の発生させるパイロット信号の周波数は、２つのみで足りる。例えば、周波数の異なる低周波数パイロット信号と高周波数パイロット信号であり、これらの周波数を実施形態１のように変動させる必要はない。ただし、本実施形態では、低周波数パイロット信号と高周波数パイロット信号の位相が一定周期で一致していることを要する。又、パイロット信号出力部８は、入力端子１７から入力された多値情報の情報量に応じてパイロット信号のサイクルを間引き、サイクル数を変化させる。間引くサイクルは、位相が一致するサイクルを除くいずれのサイクルであってもよい。例えば、間引くサイクルが低周波数パイロット信号又は高周波数パイロット信号であれば、パイロット信号出力部８の構成が簡単になる。又、間引くサイクルが低周波数パイロット信号及び高周波数パイロット信号の両方であれば、間引くサイクル数のバリエーションが増えるので、多値情報の情報量を増やすことができる。さらに、一定周期は、位相の一致する最小の周期に限られず、最小の周期の任意の整数倍であってもよい。
【００５０】
図５は、実施形態２に係るパイロット信号出力部のピックアップ図である。パイロット信号出力部８は、予め定められた固定周波数の低周波数パイロット信号を発生させる低周波数パイロット信号発生部３０と、入力端子１７から入力された多値情報の情報量に応じたサイクル数を間引いた高周波数パイロット信号を出力する高周波数パイロット信号発生部４１と、を備える。高周波数パイロット信号発生部４１は、低周波数パイロット信号とは異なる固定周波数の高周波数パイロット信号を発生させる高周波数パイロット信号源４２と、高周波数パイロット信号源４２の発生させた高周波数パイロット信号から多値情報の情報量に応じた数のサイクルを間引いて出力する選択部４３と、を備える。選択部４３は、例えば、高周波数パイロット信号源４２から入力された高周波数パイロット信号を、多値情報の情報量に応じて振幅変調してサイクル数を間引く。例えば、情報量が「ｍ」であれば、位相の一致する前記一定周期内にあるｎ個（但し、ｎ≧ｍである。）のサイクルから、ｍ個のサイクルを間引く。選択部４３は、高周波数パイロット信号をパルス化して、パルス振幅変調を行ってもよい。
【００５１】
高周波数パイロット信号源４２には低周波数パイロット信号発生部３０から低周波数基準信号が入力され、高周波数パイロット信号源４２の発生させる高周波数パイロット信号の位相を低周波数パイロット信号と一定周期で一致させる。低周波数基準信号は、例えば、低周波数パイロット信号と同一周波数かつ同位相の信号である。低周波数パイロット信号と高周波数パイロット信号との位相を一定周期で一致させるための信号の発生源は、図５に示した低周波数パイロット信号発生部３０に限られず、独立して設けてもよい。
【００５２】
図６は、パイロット信号出力部の出力するパイロット信号の時間波形の一例であり、（ａ）は低周波数パイロット信号、（ｂ）は情報量が「０」の場合の高周波数パイロット信号、（ｃ）は情報量が「１」の場合の高周波数パイロット信号、（ｄ）は情報量が「２」の場合の高周波数パイロット信号を示す。図６（ａ）に示す低周波数パイロット信号７１と、図６（ａ）〜（ｄ）に示す高周波数パイロット信号７２、７３、７４とは、一定周期Ｔで位相が一致する。図６（ａ）〜（ｄ）では、位相の一致するタイミングが正弦波の立ち上がりのタイミングである例を示したが、正弦波の立下りのタイミングであってもよい。また、図６（ａ）〜（ｄ）では、パイロット信号が正弦波である例を示したが、パルス波であってもよい。パルス波の場合は、サイクル数の代わりにパルス数を用いれば、本実施形態の効果と同様の効果を得ることができる。
【００５３】
図６（ａ）に示す低周波数パイロット信号７１の一定周期Ｔ内に存在する、低周波数パイロット信号７１の全サイクル数がＳ１であり、図６（ｂ）に示す低周波数パイロット信号７２の一定周期Ｔ内に存在する、高周波数パイロット信号７２の全サイクル数がＳ２であるとする。この場合、選択部は、警報レベルが「１」であるとの多値情報が入力されると、高周波数パイロット信号７２から間引く１つのサイクルを間引き、一定周期Ｔ内に存在するサイクル数を（Ｓ２−１）にした図６（ｃ）に示す高周波数パイロット信号７３を出力する。また、選択部は、警報レベルが「２」であるとの多値情報が入力されると、高周波数パイロット信号７２から間引く２つのサイクルを間引き、一定周期Ｔ内に存在するサイクル数を（Ｓ２−２）にした図６（ｄ）に示す高周波数パイロット信号７４を出力する。このように、高周波数パイロット信号７２のサイクル数を変更することで、警報レベルに対応させ、高周波数パイロット信号を警報レベルなどの多値情報に割り当てることができる。本実施形態では、高周波数パイロット信号の信号源が１つであっても多値情報を割り当てることができるので、高周波数パイロット信号の信号発生部の構成を簡単にすることができ、回路のコストを低減できる。
【００５４】
図１に示す位相検出部１１は、信号受信部１０の受信するパイロット信号の位相を固定周波数ごとに検出する。固定周波数は、低周波数パイロット信号の周波数と高周波数パイロット信号の周波数である。すなわち、パイロット信号出力部８の発生させる２つの異なる固定周波数である。本実施形態では、２つの異なる固定周波数に固定されているので、周波数成分を抽出する手段が２つでよい。例えば、低周波数信号検出部１１ａが、低周波数側の固定周波数の成分を信号受信部１０の光電変換した合成信号から抽出することで、低周波数パイロット信号の周波数成分を抽出する。そして、低周波数信号検出部１１ａが、低周波数パイロット信号の周波数成分の位相を検出する。一方、高周波数信号検出部１１ｂが、高周波数側の固定周波数の成分を信号受信部１０の光電変換した合成信号から抽出することで、高周波数パイロット信号の周波数成分を抽出する。そして、高周波数信号検出部１１ｂが、高周波数パイロット信号の周波数成分の位相を検出する。ここで、低周波数信号検出部１１ａ、１１ｂは、例えば、周波数成分を抽出するバンドパスフィルタと、バンドパスフィルタを透過した周波数成分の位相を検出する位相検出回路とで構成することができる。また、位相検出回路は、パルス化した低周波数パイロット信号の位相を検出し、パルス信号を情報出力部１３へ出力してもよい。高周波数パイロット信号についても同様である。
【００５５】
情報出力部１３は、位相検出部１１の検出した位相の一定周期内でのサイクル数を固定周波数ごとに計数し、固定周波数同士のサイクル数の差に応じた情報量の多値情報を出力する。例えば、情報出力部１３は、低周波数信号検出部１１ａから入力された低周波数パイロット信号の位相から、低周波数パイロット信号のサイクル数を、パイロット信号出力部８の発生させる２つのパイロット信号の位相が一致する前記一定周期にわたって計数する。情報出力部１３は、一方で、高周波数信号検出部１１ｂから入力された高周波数パイロット信号の位相から、高周波数パイロット信号のサイクル数を、パイロット信号出力部８の発生させる２つのパイロット信号の位相が一致する前記一定周期にわたって計数する。そして、情報出力部１３は、低周波数パイロット信号のサイクル数と、高周波数パイロット信号のサイクル数と、の差分を算出する。そして、情報出力部１３は、差分が情報量のどの値に該当するのかを判定する。例えば、低周波数パイロット信号のサイクル数Ｓ１に対し、高周波数パイロット信号のサイクル数（Ｓ２−２）であれば、両パイロット信号のサイクル数の差は（Ｓ１−Ｓ２−２）となるので、間引きがない通常の場合の両パイロット信号のサイクル数の差（Ｓ１−Ｓ２）よりも２つ少なくなる。このとき、情報出力部１３は、情報量「２」と判定して出力端子１８に出力する。ここで、情報出力部１３は、実施形態１と同様に、情報量をそのまま出力端子１８に出力してもよいが、多値情報の意味する警報レベルの内容を出力することが好ましい。このように、一定周期内におけるパイロット信号同士のサイクル数の差を多値情報の情報量として利用するので、パイロット信号によって複数レベルの情報を転送することができる。パイロット信号発生部の発生させるパイロット信号のサイクル数の差のバリエーションに応じて情報量を増減することができる。
【００５６】
ここで、本実施形態に係る情報配信システムでは、情報出力部１３は、位相検出部１１の検出した固定周波数ごとのパイロット信号の位相同士が一致するタイミングから次に一致するタイミングまでを一定周期とすることが好ましい。すなわち、情報出力手順において、位相検出手順で検出した固定周波数ごとのパイロット信号の位相同士が一致するタイミングから次に一致するタイミングまでを一定周期とすることが好ましい。例えば、低周波数パイロット信号及び高周波数パイロット信号のサイクル数を計数する前段に、低周波数パイロット信号と高周波数パイロット信号の位相が一致するタイミングを検出する手段を設けることが好ましい。この場合、低周波数パイロット信号及び高周波数パイロット信号のサイクル数は、低周波数パイロット信号と高周波数パイロット信号の位相が一致する位相の次の位相から一定周期にわたって計数する。また、低周波数パイロット信号及び高周波数パイロット信号のサイクル数を計数する前段に、低周波数パイロット信号と高周波数パイロット信号の位相が一致するタイミングから次に位相が一致するタイミングを検出し、この間の位相のみを出力する手段を設けてもよい。パイロット信号の位相の一致を検出することで、サイクル数を正確に計数することができる。
【産業上の利用可能性】
【００５７】
本発明は、複数のメインの情報を送信しつつサブの多値情報の送信を行う情報伝送システムに利用することができる。
【図面の簡単な説明】
【００５８】
【図１】実施形態１に係る情報配信システムの構成図である。
【図２】信号受信部の受信する合成信号の一例を示す周波数スペクトラムであり、（ａ）は多値情報の情報量が「０」、（ｂ）は多値情報の情報量が「１」、（ｃ）は多値情報の情報量が「２」の場合を示す。
【図３】パイロット信号出力部の第１形態を示すピックアップ図である。
【図４】パイロット信号出力部の第２形態を示すピックアップ図である。
【図５】実施形態２に係るパイロット信号出力部のピックアップ図である。
【図６】パイロット信号出力部の出力するパイロット信号の時間波形の一例であり、（ａ）は低周波数側のパイロット信号、（ｂ）は情報量が「０」の場合の高周波数側のパイロット信号、（ｃ）は情報量が「１」の場合の高周波数側のパイロット信号、（ｄ）は情報量が「２」の場合の高周波数側のパイロット信号を示す。
【符号の説明】
【００５９】
１  送信装置
２、３、５  合成器
４  信号送信部
６  選択部
７  パイロット信号発生部
８  パイロット信号出力部
９  光伝送路
１０  信号受信部
１１  周波数検出部
１１ａ  低周波数信号検出部
１１ｂ  高周波数信号検出部
１３  通知情報出力部
１４  受信装置
１５ａ  低周波数信号入力端子
１５ｂ  高周波数信号入力端子
１６  映像情報の出力端子
１７  多値情報の入力端子
１８  多値情報の出力端子
２０、２１、２２  信号発生部
２３  選択部
３０  低周波数パイロット信号発生部
３１、３２、３３  高周波数パイロット信号発生部
３４  選択部
４１、４２  高周波数パイロット信号発生部
４３  選択部
６０  低周波数映像信号
６１  高周波数映像信号
６２  低周波数パイロット信号
６３、６４、６５  高周波数パイロット信号
７１  低周波数側のパイロット信号
７２、７３、７４  高周波数パイロット信号
Ｔ  実施形態２で低周波数側のパイロット信号と高周波数パイロット信号の位相が一致する一定周期
【図１】
2008160207.tif 000004
【図２】
2008160207.tif 000005
【図３】
2008160207.tif 000006
【図４】
2008160207.tif 000007
【図５】
2008160207.tif 000008
【図６】
2008160207.tif 000009